(57)【要約】      （修正有）【課題】耐酸性、耐アルカリ性、非電磁、非伝導、引張強度、引張弾性率，破断強度、破断伸度、動的疲労、腐食全てにおいて、従来品よりすぐれた特性をもち、且つ軽量、長さの計測に関して簡易に目視できるロックボルトを提供する。【解決手段】バサルト繊維及びアラミド繊維へビニルエステル等の樹脂を含浸させた糸状の高強度繊維を、一方に蓋をした所定の寸法を有したコアとなる極細管の周囲へ所定の寸法、径まで巻き、異形棒鋼状に形成する。【選択図】図１
2017066849.tif 000002
【特許請求の範囲】
【請求項１】
独自の形状を有した製造機で高強度繊維に樹脂を含浸させ、コアとなる一方に蓋を形成した所定の寸法を有した極細管の周囲へ所定の寸法径まで高強度繊維を接着させ異形棒鋼状に形成、蓋がない極細管部分へ所定の寸法まで高強度繊維を太く巻き丸鋼状に形成し、熱乾燥機で硬化させる高強度繊維ロックボルト及びその製造機に関する。
【請求項２】
高強度繊維ロックボルトの極細管は所定の寸法を有した極細管の一方を密閉し、もう一方の極細管は密閉せず使用し、また頭部金具の外周は螺子が形成され、凹部内面の底面に穴を貫通させ，その穴に高強度繊維ロックボルトの細い方から挿入していき、太い径の部分を凹部へ納めセメントミルク等で固定する。しかる後、斜面及び住宅地盤を削孔しこの高強度繊維ロックボルトを坑内に挿入後、坑内へグラウト材を注入充填し定着固化した後、台座プレート地表面へ設置しその上からナットで締め付け斜面等を押し付け高強度繊維ロックボルトにテンションをかけ地盤の一体化に関する。
【請求項３】
新築住宅の布基礎へ複数の穴を設け、また、その部分の中下内の安定地盤まで高強度繊維製ロックボルトを挿入しグラウト材でで定着させ家屋の基礎を強化する工法に関する。
【請求項４】
既設住宅の布基礎に関しては鉄板２枚に複数ボルト用の穴を開け一方の鉄板に高強度繊維ロックボルトを挿入するためブラケット取付金具を形成し、その部分の地中内の安定地盤まで高強度繊維製ロックボルトを挿入しグラウト材で定着させ家屋の基礎を強化する工法に関する。
【請求項５】
高強度繊維ロックボルトブラケット取付金具は所定の寸法形状を有した鉄板２枚へボルトを設置する穴を同一場所に任意の位置へ複数個設け、一方の１枚に高強度繊維ロックボルトが入る円筒形の金具を鉛直方向に取付けた構成に関する。
【発明の詳細な説明】
【技術分野】
【０００１】  本発明の高強度繊維ロックボルトはバサルト繊維及びアラミド繊維へビニルエステル等の樹脂を含浸させた糸状の高強度繊維を、一方に蓋をした所定の寸法を有したコアとなるロックボルト長計測を兼ねた極細管の周囲へ所定の寸法、径まで巻き、異形棒鋼状に形成し、極細管の蓋をしていない端部の一方を任意の寸法まで太めに巻き形成した高強度繊維ロックボルトの径が大きい方へ設置する金具の形状は凹状の底部に所定の径で貫通させた所へ、小径部分の高強度繊維ロックボルトを挿入し、大径部を筒内部の収まるように設置定着させる。また筒外周部へは所定の寸法位置まで螺子を形成し、しかる後地盤を削岩機等で掘削した坑内へ高強度繊維製ロックボルトを挿入、金具の螺子部分は地盤に埋め込まず坑内へグラウト材を注入し定着後、支圧版、ナットで締め付け高強度繊維製ロックボルトにテンションを掛けられる構成とした補強土工法及び高強度繊維ロックボルト長の計測に関する。
【背景技術】
【０００２】  従来のロックボルトアンカーは斜面、法面へ掘削機を用いて穴を開け、その坑内へロックボルトアンカー鋼材を挿入、しかる後グラウト材を注入定着する方法。【０００３】
【先行技術文献】
【０００４】
【特許文献】
【特許文献】特開平０４−３３２５０２
【発明の概要】
【発明が解決しようとする課題】
【０００５】  従来、掘削機を用いて斜面、地中を掘削し、しかる後、坑内にロックボルトを挿入しグラウト材を注入定着していたがロックボルトは注入材の中心に位置していること等ほとんど皆無であり、またグラウト材が凝固すると定着材のグラウト材が収縮しクラックが入り地中の水分が鋼材へ悪影響を及ぼし数年後には腐食が顕著に表れ、設置時の引張強度の維持は期待ができない。【０００６】
【発明が解決しようとする手段】
【０００７】  本発明の声強度繊維ロックボルトは耐酸性、耐アルカリ性、非電磁、非伝導に優れているうえ、ＰＣ鋼より線を使用したグランドアンカーより引張強度は上回り、軽量且つ耐腐食に関して数段優れた高強度繊維ロックボルトを提供する。
【０００８】  本発明の高強度繊維ロックボルト施工後、極細管内にピアノ線を挿入することでロックボルト長を簡単に計測が可能となり施工管理、竣工検査が容易に出来ることを提供する。
【０００９】
【発明の効果】
【００１０】  本発明の高強度繊維ロックボルトの特徴として、耐酸性、耐アルカリ性、非電磁、非伝導、引張強度、引張弾性率，破断強度、破断伸度、動的疲労腐食全てにおいて、従来品よりすぐれた特性をもち、且つ軽量、ロックボルト長の計測に関して簡易に目視できる資材及び工法である。
【００１１】  本発明の高強度繊維ロックボルトに使用する素材としてバサルト繊維は天然繊維であり、人体、動物の健康被害がなく、地球上には無尽蔵に埋蔵されているため安価で製造ができ、また高強度繊維ロックボルトを使用することで家屋の傾き、また水害で家屋の流失を防ぐことができる。
【００１２】  また、本発明の高強度繊維ロックボルトに使用するアラミド繊維は防弾チョッキ等に使用されている化学合成繊維で構成されており、引張強度などのバサルト繊維よりやや劣るが、ＰＣ鋼より線と同等品並みの性能が確認された。
【００１３】  本発明の高強度繊維ロックボルトの使用目的は斜面等の補強土工法だけに留まらずＮ値２０程度の軟弱地盤の新築木造住宅など布基礎部分真下の安定地盤まで掘削機で削孔し、高強度繊維ロックボルトの耐力を計算し複数本設置しグラウト材で固定することで家屋の傾き、また水害などで家屋の流失を防ぐことができる。
【００１４】  また、既設住宅にも応用することも可能であり、その方法は耐力がある鉄板で布基礎を挟み固定する同じ箇所に穴を開け複数個のボルトで設置する、屋外の鉄板には高強度繊維アンカーを挿入する円筒金具を構成したブラケット台座部分円筒金具へ高強度繊維ロックボルトを挿入、安定地盤まで掘削した所まで高強度繊維ロックボルトを挿入し、グラウト材で固定することで家屋の傾き、また水害などで家屋の流失を防ぐことができる。
【図面の簡単な説明】
【００１５】
【図１】この発明の形態を示す平面図兼側面図である。
【図２】この発明の形態を示す平面図である。
【図３】この発明の形態を示す側面図と平面図である。
【図４】この発明の形態を示す側面図と平面図である。
【発明を実施するための形態】
【００１６】  請求項１は高強度繊維ロックボルトの製作機に関して説明する。バサルトの繊維を複数本束ねた巻いたボビン（Ａ）を複数本配置し繊維の引きぬき装置（Ｒ）を用いて樹脂（ＳＲ）を含浸させコアとなる極細管ガイド（ＧＡ）を通し、その極細管（Ｃ）の周囲へ所定の径まで接着させた後、間をおかず複数の回転機（Ｊ）で順次バサルト繊維を異形棒鋼状に巻きつけていき、極細管（Ｃ）の蓋（Ｋ）をしていない部分は回転機（Ｊ１）で所定異形棒鋼の径太く巻き、連続して熱乾燥機（Ｅ）を通し硬化することで本発明の高強度繊維ロックボルト（ＨＲ）の製作方法に関する。
【００１７】  請求項２は高強度繊維ロックボルト（ＨＲ）の金具形状は所定の寸法を有した極細管（Ｃ）の底部は密閉（Ｄ）し、もう一方は径（Ｇ）を大きくし密閉せず使用し、高強度繊維ロックボルト（ＨＲ）の細い方から（１）方向から挿入し（６）に到達貫通させ，太い径（Ｇ）を（１）の内部へ納め、セメントミルク等で固定する。しかる後、斜面及び住宅地盤を削孔しこの高強度繊維ロックボルト（ＨＲ）を坑内に挿入後、坑内へグラウト材を注入充填し定着固化した後、台座プレート（４）地表面へ設置しその上からナット（Ｎ）で締め付け斜面等を押し付け高強度繊維ロックボルト（ＨＲ）にテンションをかけ地盤を一体化する。
【００１８】  請求項３は住宅（Ｈ）の基礎（Ｆ）を補強する工法に関して説明する。一般家屋の大半は安定地盤（ＧＳ）の上に建設されているケースは少なく、聖地後その上に真砂土を敷均し簡易機械で転圧はしているが、軟弱地盤（ＬＧ）の上に建てられているのが大半である、しかし水害などの自然災害で基礎（Ｆ）もろとも家屋が流失することがある、本特許の高強度繊維ロックボルト（ＨＲ）を使用するに当たり家屋の重量、安定地盤の深度を考慮に入れ耐力の計算を行い、布基礎（Ｆ）へ本発明の高強度繊維ロックボルト（ＨＲ）複数本を安定地盤（ＧＳ）まで削孔して本発明の高強度繊維ロックボルト（ＨＲ）を設置することで、一方の軟弱地盤（ＬＧ）が崩壊しても、反対側に打設してある高強度繊維ロックボルト（ＨＲ）の引張強度の緊張作用（Ｓ）が働き家屋（Ｈ）は傾かない。
【００１９】  請求項４は既存住宅の補強方法は２枚の鉄板（Ｉ）にあらかじめ複数設けたボルト穴の同位置へコンクリート基礎（ＲＣ）に穴を開けコンクリートを鉄板（Ｉ）で挟みボルト（Ｂ）をナット（Ｎ）で締め付け固定し、もう一方屋外側になる鉄板に構成された円筒形金具（Ｐ）を布基礎へ本発明の高強度繊維ロックボルト（ＨＲ）複数本を安定地盤（ＧＳ）まで削孔して本発明の高強度繊維ロックボルト（ＨＲ）を設置することで、一方の軟弱地盤（ＬＧ）が崩壊しても、反対側に打設してある高強度繊維ロックボルト（ＨＲ）の引張強度の緊張作用（Ｓ）が働き家屋（Ｈ）は傾かない。
【実施例】
【００２０】  崩壊の危険にある斜面をロックボルトを打設する穴を設けるため削岩機を用いて削孔しロックボルトを定着するためグラウト材充填固化させ斜面を一体化する補強土工法。
【産業上の利用可能性】  本発明の高強度繊維ロックボルト径を７ｍｍ位にすると何十ｍｍ巻き取ることができ、従来のＲＣ等の構造物は鉄筋をラップさせ継いでいくが本発明３０ｍ程度であれば継手を重ね代の必要がなく、引張強度も鉄筋の５倍強の耐力があり価格も量産体制ができれば鉄筋より安価に提供できる。この場合は両端部同径の異形棒鋼とする。【００２１】  本発明のバサルト繊維を３Ｃｍ位に切断し、コンクリートにいれ、ミキサーで混練することで繊維が絡み合い、膨張率、収縮率はバサルト繊維とコンクリートは、ほぼ同じであるため、ＲＣ構造物にクラック等が入りにくくなる効果が望める。
【符号の説明】
【００２２】ＨＲ  高強度繊維ロックボルト
Ａ    ボビン
Ｒ    繊維引き抜き装置
ＳＲ  樹脂
ＧＡ  極細管ガイド
Ｃ    極細管
Ｊ    繊維異形棒鋼用（巻き取り回転装置）
Ｊ１  繊維太巻き用（巻き取り回転装置）
Ｎ    ナット            Ｂ    ボルト
Ｇ    高強度繊維の径を太く巻いた部分
Ｈ    家屋
Ｆ    布基礎
Ｉ    鉄板、ブラケット鉄板
ＧＳ  安定地盤
ＬＧ  軟弱地盤
Ｗ    円筒金具
ＲＣ  コンクリート
ＯＦ  崩壊箇所
Ｓ    緊張作用
１    高強度繊維ロックボルト太い径設置個所
２    ナット
３    支圧版の孔
４    支圧版
５    ヘッド螺子部分
６    高強度繊維アンカーの細い部分の挿入穴
７    ベルキャップ
【図１】
2017066849.tif 000003
【図２】
2017066849.tif 000004
【図３】
2017066849.tif 000005
【図４】
2017066849.tif 000006
【図５】
2017066849.tif 000007
【図６】
2017066849.tif 000008
【図７】
2017066849.tif 000009
【手続補正書】
【提出日】平成28年1月13日(2016.1.13)
【手続補正１】
【補正対象書類名】明細書
【補正対象項目名】００１５
【補正方法】変更
【補正の内容】
【００１５】
【図１】この発明の形態を示す平面図兼側面図である。
【図２】この発明の形態を示す平面図である。
【図３】この発明の形態を示す側面図と平面図である。
【図４】この発明の形態を示す側面図と平面図である。
【図５】この発明の形態を示す断面図である。
【図６】この発明の形態を示す側面図である。
【図７】この発明の形態を示す平面図である。